(57)【要約】【課題】パソコンや周辺機器の収納及び取り出しが容易であり、見た目がよく、軽量なパソコンバッグを提供する。【解決手段】本発明のパソコンバッグは、平行な２辺を有するセンター板状部材１１に取手１２等を取り付けたセンターユニット１０と、センター板状部材１１の１辺に吊り下げ可能に接続された、ノートパソコン収納ポケット２２を有する第１収納ユニット２０と、センター板状部材１１の他方の１辺に吊り下げ可能に接続された収納ポケット３１、３２...を有する第２収納ユニット３０と、を有する。第１収納ユニット２０と第２収納ユニット３０を開くと収納ポケットが外部に露出するため、パソコンや周辺機器の収納及び取り出しが容易である。また、板状部材の他にはバッグの外側ケースに相当する部材がないため、軽量化が可能である。更に、板状部材を用いることにより、運搬の際にバッグの形状が崩れることがなく、見た目もよい。【選択図】図１
2008178494.tif 000002
【特許請求の範囲】
【請求項１】
a) 平行な２辺を有する板状の部材の１面に、取手、肩掛けベルト、肩掛けベルトを取り付けるための留具のいずれか１つ又は複数が取り付けられたセンターユニットと、
b) 前記板状部材の２辺のうちの１辺に、前記１面を上側にした時に吊り下げ可能に接続された第１面状部材と、前記吊り下げ時に該第１面状部材の前記センターユニット側の面に取り付けられた、ノートパソコンを収納可能なポケットと、を有する第１収納ユニットと、
c) 前記板状部材の他方の１辺に、同様に前記１面を上側にした時に吊り下げ可能に接続された第２面状部材と、前記吊り下げ時に該第２面状部材の前記センターユニット側の面に取り付けられた、１又は複数の収納ポケットと、を有する第２収納ユニットと、
を備えることを特徴とするパソコンバッグ。
【請求項２】
前記第１面状部材及び前記第２面状部材のいずれか一方又は両方の表面又は内部に衝撃吸収材を備えることを特徴とする請求項１に記載のパソコンバッグ。
【請求項３】
前記第１面状部材のパソコン収納ポケット取付面の反対側の面、及び前記第２面状部材の収納ポケット取付面の反対側の面、のいずれか一方又は両方に外側収納部を備えることを特徴とする請求項１又は２に記載のパソコンバッグ。
【請求項４】
前記第２収納ユニットの収納ポケットが着脱可能であることを特徴とする請求項１〜３のいずれかに記載のパソコンバッグ。
【請求項５】
前記第１面状部材及び前記第２面状部材のいずれか一方又はその双方の、センターユニット側の辺と対向する辺に、前記吊り下げ時に内方に折りたたみ可能に接続された、１又は複数の収納ポケットを有する内側収納ユニットを備えることを特徴とする請求項１〜４のいずれかに記載のパソコンバッグ。
【請求項６】
前記内側収納ユニットの収納ポケットが着脱可能であることを特徴とする請求項５に記載のパソコンバッグ。
【請求項７】
前記センターユニットと前記第１収納ユニットの接続部及び前記センターユニットと前記第２収納ユニットの接続部が、反転折り返し可能であることを特徴とする請求項１〜６のいずれかに記載のパソコンバッグ。
【請求項８】
第１面状部材と第２面状部材を連結する連結具を備えることを特徴とする請求項１〜７のいずれかに記載のパソコンバッグ。
【発明の詳細な説明】
【技術分野】
【０００１】
本発明は、ノートパソコンや必要な周辺機器を収納し運搬するためのバッグ（パソコンバッグ）に関する。
【背景技術】
【０００２】
近年、ノートパソコンをその周辺機器と共に持ち運ぶためのパソコンバッグが用いられている（例えば特許文献１参照）。従来のパソコンバッグの多くは、ジッパーやマジックテープ（登録商標）等（以下、ジッパー等とする）により開閉可能な開口部をバッグの外側に持ち、更にバッグの内部に、パソコンや周辺機器を収納するためのポケットを１つ又は複数個持つ。これらポケットにもジッパー等が設けられていることが多い。そのため、使用者はパソコンや周辺機器を出し入れする度に、開口部のジッパー等とポケットのジッパー等の双方を開閉するという煩わしい作業をする必要がある。
【０００３】
また、ノートパソコンの運搬のためには、パソコンバッグはできるだけ軽量であることが望まれる。その点において布製のバッグは適しているが、形状が安定しないため見た目が悪くなりがちである。更に、布製パソコンバッグでは、周辺機器の多くがその重さによってバッグの底の部分に集まるため、底の部分だけが膨らむと共に種々の周辺機器が混在してしまい、出し入れする際に面倒である。一方、フレーム構造を持つパソコンバッグは、見た目が良く、且つ周辺機器用の収納ポケットを分散配置することもできるため出し入れが容易であるという利点を有するが、重量が重くなるという欠点がある。
【０００４】
【特許文献１】特開2002-125736号公報
【発明の開示】
【発明が解決しようとする課題】
【０００５】
本発明が解決しようとする課題は、パソコンや周辺機器の収納及び取り出しが容易であり、見た目がよく、軽量なパソコンバッグを提供することにある。
【課題を解決するための手段】
【０００６】
上記課題を解決するために成された本発明に係るパソコンバッグは、
a) 平行な２辺を有する板状の部材の１面に、取手、肩掛けベルト、肩掛けベルトを取り付けるための留具のいずれか１つ又は複数が取り付けられたセンターユニットと、
b) 前記板状部材の２辺のうちの１辺に、前記１面を上側にした時に吊り下げ可能に接続された第１面状部材と、前記吊り下げ時に該第１面状部材の前記センターユニット側の面に取り付けられた、ノートパソコンを収納可能なポケットと、を有する第１収納ユニットと、
c) 前記板状部材の他方の１辺に、同様に前記１面を上側にした時に吊り下げ可能に接続された第２面状部材と、前記吊り下げ時に該第２面状部材の前記センターユニット側の面に取り付けられた、１又は複数の収納ポケットと、を有する第２収納ユニットと、
を備えることを特徴とする。
【０００７】
本発明に係るパソコンバッグにおいて、前記第１面状部材及び前記第２面状部材のいずれか一方又は両方の表面又は内部に衝撃吸収材を備えることが望ましい。
【０００８】
本発明に係るパソコンバッグは、前記第１面状部材のパソコン収納ポケット取付面の反対側の面、及び前記第２面状部材の収納ポケット取付面の反対側の面、のいずれか一方又は両方に外側収納部を備えていてもよい。また、本発明に係るパソコンバッグは、前記第１面状部材及び前記第２面状部材のいずれか一方又はその双方の、センターユニット側の辺と対向する辺に、前記吊り下げ時に内方に折りたたみ可能に接続された、１又は複数の収納ポケットを有する内側収納ユニットを備えていてもよい。
【０００９】
本発明に係るパソコンバッグにおいて、前記センターユニットと前記第１収納ユニットの接続部及び前記センターユニットと前記第２収納ユニットの接続部は、反転折り返し可能とすることができる。
【００１０】
前記第２収納ユニット及び／又は前記内側収納ユニットの収納ポケットは着脱可能とすることができる。
【００１１】
本発明に係るパソコンバッグは、第１面状部材と第２面状部材を連結する連結具を備えることができる。
【発明の効果】
【００１２】
本発明に係るパソコンバッグでは、使用者は、第１収納ユニットにパソコンを、第２収納ユニットに周辺機器等を、それぞれ収納し、センターユニットに取り付けられた取手を手で持つか又は肩掛けベルトを肩に掛けて第１収納ユニット及び第２収納ユニットをセンターユニットに吊り下げた状態でこのパソコンバッグを運搬することができる。そのため、パソコンバッグそのものには開口部を閉鎖するためのジッパー等を設ける必要がなく、使用者は開口部のパソコンや周辺機器等の出し入れの際にジッパー等とポケットのジッパー等の双方を開閉するという煩わしい作業をする必要がない。また、第１収納ユニット及び第２収納ユニットを外側に開くことにより、ノートパソコン収納ポケット及び第２収納ユニットの収納ポケットが外部に露出するため、パソコンや周辺機器等をそれら収納ポケットから出し入れするのが容易となる。更に、それら収納ポケットの外側にはセンターユニットに設けられた板状部材、並びに第１収納ユニット及び第２収納ユニットにそれぞれ１枚ずつ設けられた面状部材の他にはバッグの外側ケースに相当する部材がないため、軽量化が可能である。それと共に、本発明に係るパソコンバッグは剛性の高いセンターユニットに第１収納ユニット及び第２収納ユニットが吊り下げられる構造を有するため、運搬時にバッグの形状が崩れ難く、見た目がよい。
【００１３】
第１収納ユニット又は／及び第２収納ユニットに衝撃吸収材を設けることにより、収納ポケットに収納されたパソコンや周辺機器を運搬時の衝撃から保護することができる。
【００１４】
本発明に係るパソコンバッグにおいて、更に、外側収納部や内側収納ユニットを設けることにより、収納性を更に高めることができると共に、周辺機器等をより細かく分類して収納することができる。
【００１５】
センターユニットと第１収納ユニットの接続部及びセンターユニットと第２収納ユニットの接続部を、ノートパソコン収納ポケット及び第２収納ユニットの収納ポケットが外側に配置されるように反転折り返し可能（すなわち、ほぼ１８０°折り返し可能）にすることにより、第１収納ユニット及び第２収納ユニットの面状部材を脚として、収納ポケットを外側に出した状態でパソコンバッグを立てて置くことができる。これにより、収納ポケットからのパソコンや周辺機器等の取り出しがより容易になる。
【００１６】
第２収納ユニット及び／又は内側収納ユニットの収納ポケットを着脱可能とすることにより、使用者の必要に応じて様々な大きさや構造のポケットを選択して取り付けるというカスタマイズを行うことができるため便利である。
【００１７】
第１面状部材と第２面状部材を連結する連結具を設けておくことにより、本パソコンバッグを吊り下げたときに第１収納ユニットと第２収納ユニットが安定し、持ち運びやすくなる。また、上記のように反転折り返して立てて置く場合も、安定して置けるようになる。
【発明を実施するための最良の形態】
【００１８】
本発明に係るパソコンバッグの実施例を図１〜図７を用いて説明する。
図１に、本発明に係るパソコンバッグの一実施例の運搬時の状態を斜視図で示す。本実施例のパソコンバッグは、センターユニット１０、第１収納ユニット２０及び第２収納ユニット３０から成る。センターユニット１０は、後述する第１収納ユニット２０の第１面状部材２１及び第２収納ユニット３０の第２面状部材３１よりも剛性の高い、細長い矩形のセンター板状部材１１と、センター板状部材１１の１面の中央付近に取り付けられた取手１２と、取手取付面の両端付近に設けられた１対の肩掛けベルト取り付け用留具１３Ａ及び１３Ｂから成る。第１収納ユニット２０は、センター板状部材１１の長手方向の１辺に、センターユニット１０を取手１２等で持った時に吊り下げ可能なように接続された矩形であって板状の部材から成る第１面状部材２１をベースとする。同様に、第２収納ユニット３０は、センター板状部材１１の対向辺に吊り下げ可能に接続された、第１板状部材２１と略同形の板状の部材から成る第２面状部材３１をベースとする。第１収納ユニット２０の第１面状部材２１の１面には、センターユニット１０側に開口を有するノートパソコン収納ポケット２２が設けられている。一方、第２収納ユニット３０の第２面状部材３１の１面には、センターユニット１０側に開口を有する、複数の収納ポケット３２、３３、３４、３５Ａ、３５Ｂ、３６、３６Ｂ、３７及び３８が設けられている（図１ではパソコンバッグの１側面から見える収納ポケット３２及び３３のみを示した）。
【００１９】
図２に、本実施例のパソコンバッグを開いた状態を示す。図２(a)は、吊り下げた時に内側となる面の平面図であり、図２(b)は図２(a)のA-A'線断面図である。以下、図２(a)に現れている面を「内側面」と呼ぶ。図２(a)に示される通り、収納ポケット３２、３３、３４、３５Ａ、３５Ｂ、３５Ｃ、３６、３７及び３８は第２面状部材３１の内側面に取り付けられている。このように複数の収納ポケットを設けることにより、各種周辺機器を分別して収納することができる。例えば、収納ポケット３２には電池やＵＳＢメモリ等を、収納ポケット３３には電源アダプタを、収納ポケット３４には光ディスクを、収納ポケット３５Ａ、３５Ｂ、３５ＣにはイヤホンやＵＳＢケーブルあるいはマウス等のケーブル類又はケーブルを持つものを、収納ポケット３６にはＰＣＭＣＩＡカード等の拡張カードを、収納ポケット３７にはＳＤカード等を、収納ポケット３８にはレーザポインタ等を、それぞれ収納する。また、収納ポケットの配置箇所を、吊り下げた時に内側となる面にしたことにより、吊り下げた時に本パソコンバッグが持ち運びやすくなると共に、外観がすっきりする。
【００２０】
ここで、ケーブル類又はケーブルを有するものを収納する収納ポケット３５Ａ、３５Ｂ及び３５Ｃをセンターユニット１０に近い位置に配置することにより、ノートパソコン収納ポケット２２に収納されたノートパソコンからそれらのケーブル類を外すことなくそれら収納ポケットに収納することができる。そのため、ノートパソコンの片付けや準備が容易になり、また、ケーブル類の着脱を繰り返す必要がないためケーブル類及びパソコンのコネクタが劣化することを防ぐことができる。
【００２１】
本実施例のパソコンバッグは、ノートパソコンや周辺機器等を出し入れする時には図２に示したように全体を開くことができるため、それらを容易に出し入れすることができる。また、運搬時には、第１収納ユニット２０及び第２収納ユニット３０が自然にセンターユニット１０に吊り下げられることとなり、別途ジッパー等を用いなくともパソコンバッグを閉じた状態にすることができる。しかし、更に形状を安定させて携帯を容易にするために、第１収納ユニット２０及び第２収納ユニット３０を閉状態で固定する連結具を設けてもよい。
【００２２】
特に、ノートパソコン収納ポケット２２、及び第２収納ユニット３０の各収納ポケットのうちセンターユニット１０側に配置された収納ポケット３３、３５Ａ、３５Ｂ、３５Ｃ及び３８は、開口部がセンターユニット１０により覆われるため、別途蓋を設けなくとも、ポケットの内容物が落下することを防ぐことができる。ここで、前述のようにケーブル類をノートパソコンに接続したまま収納することを考慮して、センターユニット１０と各ポケットの間に、ケーブル類は通すことはでき、且つ電源ユニットやマウス等は通さない程度の隙間を設けておくとよい。一方、パソコンバッグを開けた状態では、センターユニット１０はそれらポケットの開口部から離れるため、ノートパソコンや周辺機器等の出し入れの邪魔になることはない。なお、これらのポケットに蓋を設けても、本発明の本質に影響を与えることはない。
【００２３】
図３に、第１収納ユニット２０及び／又は第２収納ユニット３０に衝撃吸収材を設けた例を示す。図３(a)(b)はいずれも、第１面状部材２１又は第２面状部材３１について、吊り下げ時に外側になる面（以下、これを「外側面」と呼ぶ）を下側にして示した断面図である。図３(a)に示した例では、面状部材の厚さ方向の中央に衝撃吸収材４１が設けられる。衝撃吸収材４１には、ゴム系スポンジ、発砲ポリエチレン、低反発スポンジ等を用いることができる。衝撃吸収材４１の外側はナイロン繊維等による外装布４２１により、内側は同じくナイロン繊維等による内装布４２２により、それぞれ覆われている。図３(b)に示した例では、(a)の構成に加えて、衝撃吸収材４１と外装布４２１の間に、耐衝撃性の高いポリカーポネート、ポリエチレン、ナイロン等による保護板４３が設けられている。保護板４３により、衝撃からの保護機能が更に高まると共に、第１収納ユニット２０及び／又は第２収納ユニット３０の形状がより安定する。
【００２４】
図４に、上記実施例のパソコンバッグ(a)、外側収納部を有するパソコンバッグの一実施例(b)、及び内側収納ユニットを有するパソコンバッグの一実施例(c)、の運搬時の側面図を示す。図４(b)に示したパソコンバッグは、(a)に示したパソコンバッグの第１面状部材２１の外側の面に第１外側収納部（ポケット）５１Ａを取り付け、同様に第２面状部材３１の外側の面に第２外側収納部（ポケット）５１Ｂを取り付けたものである。
【００２５】
図４(c)に示したパソコンバッグは、(a)に示したパソコンバッグと同様のセンターユニット１０及び第１収納ユニット２０の他、内側に収納ポケット３９を備える第２収納ユニット３０を有する。このパソコンバッグは更に、第２面状部材３１の下端に、内方に折りたたみ可能に取り付けられた内側収納ユニット６０を有する。内側収納ユニット６０は、第２面状部材３１に接続された底板６１Ａと、底板６１Ａに接続された側板６１Ｂと、側板６１Ｂに設けられた収納ポケット６２、６３、...から成り、側板６１Ｂが第１収納ユニット２０と第２収納ユニット３０の間に折り込まれる。本実施例では、収納ポケット３９の開口付近に、第２面状部材３１の内側の面に固定され、マジックテープ等により側板６１Ｂの上端に着脱可能な蓋６４が設けられている。この蓋６４は、内側収納ユニット６０を第２収納ユニット３０に固定する機能も持ち、第１収納ユニット２０と第２収納ユニット３０を開いたときに内側収納ユニット６０が勝手に開いてしまい、収納ポケット６２等の内容物が落下してしまうことを防止する。なお、内側収納ユニット６０は第１収納ユニット２０に取り付けることもできる。また、前記同様、第１面状部材２１及び／又は側板６１Ｂの外側の面に外側収納部を設けることもできる。
【００２６】
更に、図４(a)〜(c)に示した例において、運搬時に左右のユニットが不安定とならようにするために、下端部又は側端部にマジックテープやボタン等によるロック機構を設けてもよい。
【００２７】
これら図４(b)及び(c)に示した構成により、更にパソコンバッグの収納性を高めることができると共に、周辺機器等を更に細かく分別して収納することができる。
【００２８】
図５に、着脱可能な収納ポケットを用いる例を示す。(a)は収納ポケット３２、３３、３４、３５Ａ、３６、３７及び３８を第２面状部材３１から取り外した状態を示したものである。各収納ポケットの裏面にはマジックテープが貼付されている。また、第２面状部材３１の内側の面には、全面あるいはストライプ状に、各収納ポケットのマジックテープと対になるマジックテープが貼付されている。第２面状部材３１側のマジックテープがストライプ状である場合には、収納ポケット側のマジックテープは第２面状部材３１側のマジックテープに直交するように貼付するとよい。使用者は、収納した周辺機器の種類や形状に合わせて、必要な周辺機器収納ポケットを第２面状部材３１の内側面の好みの位置に取り付けることができる。そのため、無駄が無く、また、収納場所が分かり易く出し入れが容易なようにその使用者向けにカスタマイズされたパソコンバッグを構成することができる。
【００２９】
なお、図５(a)には、全ての収納ポケットの開口部に蓋を設けた例を示したが、もちろん、上述の例と同様に蓋のない収納ポケットを用いることもできる。従って、使用者が蓋のある収納ポケットとない収納ポケットを自由に選択することも可能である。更に、第２面状部材３１に限らず、第１面状部材２１や内側収納ユニットの側板６１Ｂ等にいおても同様に、マジックテープを用いて収納ポケットを取り付けるようにしてもよい。
【００３０】
図６に、開状態において第１面状部材２１及び第２面状部材３１を脚として自立可能なパソコンバッグの例を示す。このパソコンバッグは、上述のパソコンバッグにおいて、第１収納ユニット２０及び第２収納ユニット３０をセンターユニット１０に対して折り返して反転させることが可能となっている。このように折り返すことにより、第１収納ユニット２０及び第２収納ユニット３０を脚として、パソコンバッグを開けた状態で自立させることができ、ノートパソコンや周辺機器等の出し入れがより容易となる。また、前記同様、第１収納ユニット２０及び第２収納ユニット３０の端部をマジックテープやボタン等から成るロック装置７１で固定することにより、パソコンバッグをより安定して自立させることができる。
【００３１】
図７にセンター板状部材１１と第１面状部材２１（及び第２面状部材３１）の接続部の例を示す。以下、簡単のためセンター板状部材１１と第１面状部材２１の接続部について説明するが、センター板状部材１１と第２面状部材３１の接続部も同様の構成をとることができる。図７(a)に示した例では、センター板状部材１１が矩形の芯材１１１を有し、第１面状部材２１が同じく断面が矩形の衝撃吸収材４１１を有し、芯材１１１と衝撃吸収材４１１が同じ外装布４２１及び内装布４２２で包まれている。この例では、センター板状部材１１と第１面状部材２１は外装布４２１及び内装布４２２により接続され、接続部は布の柔軟性により自在に折り曲げることができる。
【００３２】
図７(b)に示した例では、センター板状部材１１の芯材１１２と第１面状部材２１の衝撃吸収材４１２が接続部側の端部において斜めに切り落とされ、両者の端部の先端が外側を向くように配置されている。外装布４２１及び内装布４２２は図７(a)の例と同様に設けられている。この例では、パソコンバッグの外側において芯材１１２と衝撃吸収材４１２を近接させても、接続部において内側に折り曲げることが可能であるため、接続部において外装布４２１が弛み難く、外観が優れている。
【００３３】
図７(c)に示した例では、センター板状部材１１の芯材１１３と第１面状部材２１の衝撃吸収材４１３が接続部側の端部において厚さ方向の中心が尖った形状に加工されている。外装布４２１及び内装布４２２は図７(a)(b)の例と同様に設けられている。この例では、(b)の例と同様に芯材１１３と衝撃吸収材４１３を近接させることができるため外観が優れているうえに、接続部において内側、外側のいずれにも折り曲げることができる。
【００３４】
図７(d)はセンター板状部材１１と第１面状部材２１を蝶番４４で接続した例である。蝶番４４は、市販の金属製のものを用いることができる他、軽量化のために布や樹脂を用いて構成することも可能である。その際、蝶番４４を外装布４２１と同じ布製のものを用いることにより、外装布４２１と蝶番４４を一体化することも可能である。
【００３５】
ここまでに示した例では、第１面状部材２１及び第２面状部材３１にはいずれも板状の部材が用いられているが、これら面状部材には布等の柔らかい材料から成る部材を用いることもできる。そのような柔らかい面状部材を用いた場合にも、剛性の高いセンターユニットに第１収納ユニット及び第２収納ユニットが吊り下げられる構造を有するため、運搬時におけるパソコンバッグ全体の形状は安定する。
【図面の簡単な説明】
【００３６】
【図１】本発明に係るパソコンバッグの一実施例を示す斜視図。
【図２】本実施例のパソコンバッグを開いた状態を示す上面図(a)及びA-A'断面図(b)。
【図３】第１収納ユニット２０及び／又は第２収納ユニット３０衝撃吸収材を設けた例を示す断面図。
【図４】図１に示したパソコンバッグ(a)、外側収納部を有するパソコンバッグ(b)、及び内側収納ユニットを有するパソコンバッグ(c)、の側面図。
【図５】パソコンバッグに対して着脱可能な収納ポケットの例(a)、及びそのような収納ポケットをパソコンバッグに取り付けた例(b)を示す概略構成図。
【図６】開状態において第１面状部材２１及び第２面状部材３１を脚として自立可能なパソコンバッグの例を示す側面図。
【図７】センター板状部材１１と第１面状部材２１、及びセンター板状部材１１と第２面状部材３１の接続部の例を示す断面図((a)〜(c))及び斜視図(d)。
【符号の説明】
【００３７】
１０…センターユニット
１１…センター板状部材
１１１、１１２、１１３…芯材
１２…取手
１３Ａ、１３Ｂ…肩掛けベルト取り付け用留具
２０…第１収納ユニット
２１…第１面状部材
２２…ノートパソコン収納ポケット
３０…第２収納ユニット
３１…第２面状部材
３２、３３、３４、３５Ａ、３５Ｂ、３５Ｃ、３６、３７、３８、３９、６２、６３…収納ポケット
４１、４１１、４１２、４１３、…衝撃吸収材
４２１…外装布
４２２…内装布
４３…保護板
４４…蝶番
６０…内側収納ユニット
６１Ａ…底板
６１Ｂ…側板
６４…蓋
７１…ロック装置
【図１】
2008178494.tif 000003
【図２】
2008178494.tif 000004
【図３】
2008178494.tif 000005
【図４】
2008178494.tif 000006
【図５】
2008178494.tif 000007
【図６】
2008178494.tif 000008
【図７】
2008178494.tif 000009